(57)【要約】【課題】発光が予定されていない箇所からの光の漏れを抑制するシフトレバー装置及びシフトレバー装置の製造方法を提供する。【解決手段】シフトレバー装置は、シフトレバーと、前記シフトレバーの中間部が貫通する操作溝が形成され、シフト情報を表示する表示領域を有するインジケータパネルと、前記インジケータパネルを車体側に支持する支持手段と、前記インジケータパネルの内側から該インジケータパネルに向けて光を照射する光源とを備え、前記インジケータパネルは、前記光源からの光を前記表示領域に透過させる透過部と、前記光源からの光を遮光する遮光部と、前記透過部以外の方へ向かう前記光源からの光の少なくとも一部を減衰する減衰部とを有する。【選択図】図３
2014100922.tif 000002
【特許請求の範囲】
【請求項１】
車体側に揺動自在に枢支され、シフトポジションを選択可能とするシフトレバーと、
前記シフトレバーの中間部が貫通する操作溝が形成され、シフト情報を表示する表示領域を有するインジケータパネルと、
前記インジケータパネルを車体側に支持する支持手段と、
前記インジケータパネル及び前記支持手段に内包され、前記インジケータパネルの内側から該インジケータパネルに向けて光を照射する光源と、
を備えたシフトレバー装置において、
前記インジケータパネルは、前記光源からの光を前記表示領域に透過させる透過部と、前記光源からの光を遮光する遮光部と、前記透過部以外の方へ向かう前記光源からの光の少なくとも一部を減衰する減衰部とを有する
ことを特徴とするシフトレバー装置。
【請求項２】
請求項１に記載のシフトレバー装置において、
前記透過部及び前記遮光部は、前記インジケータパネルの外表面に設けられ、
前記減衰部は、前記インジケータパネルの背面及び（又は）側面に設けられ、他の部位よりも表面粗さが粗い粗面部又は複数の微小な凹凸を有する凹凸面部である
ことを特徴とするシフトレバー装置。
【請求項３】
請求項１又は２に記載のシフトレバー装置において、
前記支持手段と前記インジケータパネルとは、互いに重なり合うオーバーラップ部、又は互いに嵌り合う嵌合部を有し、
前記減衰部は、前記オーバーラップ部又は前記嵌合部付近に設けられる
ことを特徴とするシフトレバー装置。
【請求項４】
請求項１〜３の何れか１項に記載のシフトレバー装置において、
前記インジケータパネルは、透過性部材を有し、
前記遮光部は、遮光塗料又は遮光フィルムであり、前記透過性部材の外表面のうち、前記透過部以外の外表面を覆い、
前記減衰部は、前記透過部を除き、前記遮光塗料又は遮光フィルムで覆われていない前記透過性部材の背面及び（又は）側面に設けられ、他の部位よりも表面粗さが粗い粗面部又は複数の微小な凹凸を有する凹凸面部である
ことを特徴とするシフトレバー装置。
【請求項５】
車体側に揺動自在に枢支され、シフトポジションを選択可能とするシフトレバーと、
前記シフトレバーの中間部が貫通する操作溝が形成され、シフト情報を表示する表示領域を有するインジケータパネルと、
前記インジケータパネルを車体側に支持する支持手段と、
前記インジケータパネル及び前記支持手段に内包され、前記インジケータパネルの内側から該インジケータパネルに向けて光を照射する光源と、
を備えたシフトレバー装置の製造方法において、
透過性部材で構成される前記インジケータパネルの外表面で、前記光源からの光を前記表示領域に透過する透過部を除く部位に遮光塗料又は遮光フィルムを塗布又は貼り付ける工程と、
前記透過部を除く前記遮光塗料又は遮光フィルムで覆われていない前記インジケータパネルの背面又は側面に、他の部位よりも表面粗さが粗い粗面部又は複数の微小な凹凸を有する凹凸面部を形成する工程と、
を有することを特徴とするシフトレバー装置の製造方法。
【発明の詳細な説明】
【技術分野】
【０００１】
本発明は、自動車に搭載されるシフトレバー装置及びシフトレバー装置の製造方法に関する。
【背景技術】
【０００２】
下記特許文献１には、電球から遠い操作溝の助手席側側面に光を回り込ませる為に、インジケータプレートの下部材として、導光性材料、例えば、透明ガラス、透明樹脂等で構成された導光板を配置することが記載されている。なお、インジケータプレートの上部材として、透明ガラス、透明樹脂等で構成された文字板が用いられ、該文字板は、ポジションインジケータの部位を除いて塗料によって遮光塗装されている。
【先行技術文献】
【特許文献】
【０００３】
【特許文献１】特開平７−３１７８８９号公報
【発明の概要】
【発明が解決しようとする課題】
【０００４】
しかしながら、上記特許文献１に記載の技術では、例えば、導光板の端面に設けられる拡散面と、拡散面と接する塗料が覆われた文字板との隙間から光が漏れ、発光が予定されていない箇所で光が発してしまう虞がある。
【０００５】
そこで、本発明は、発光が予定されていない箇所からの光の漏れを抑制するシフトレバー装置及びシフトレバー装置の製造方法を提供することを目的とする。
【課題を解決するための手段】
【０００６】
本発明は、以下の特徴を有する。
【０００７】
第１の特徴；車体側に揺動自在に枢支され、シフトポジションを選択可能とするシフトレバーと、前記シフトレバーの中間部が貫通する操作溝が形成され、シフト情報を表示する表示領域を有するインジケータパネルと、前記インジケータパネルを車体側に支持する支持手段と、前記インジケータパネル及び前記支持手段に内包され、前記インジケータパネルの内側から該インジケータパネルに向けて光を照射する光源と、を備えたシフトレバー装置において、前記インジケータパネルは、前記光源からの光を前記表示領域に透過させる透過部と、前記光源からの光を遮光する遮光部と、前記透過部以外の方へ向かう前記光源からの光の少なくとも一部を減衰する減衰部とを有する。
【０００８】
第２の特徴；前記シフトレバー装置において、前記透過部及び前記遮光部は、前記インジケータパネルの外表面に設けられ、前記減衰部は、前記インジケータパネルの背面及び（又は）側面に設けられ、他の部位よりも表面粗さが粗い粗面部又は複数の微小な凹凸を有する凹凸面部である。
【０００９】
第３の特徴；前記シフトレバー装置において、前記支持手段と前記インジケータパネルとは、互いに重なり合うオーバーラップ部、又は互いに嵌り合う嵌合部を有し、前記減衰部は、前記オーバーラップ部又は前記嵌合部付近に設けられる。
【００１０】
第４の特徴；前記シフトレバー装置において、前記インジケータパネルは、透過性部材を有し、前記遮光部は、遮光塗料又は遮光フィルムであり、前記透過性部材の外表面のうち、前記透過部以外の外表面を覆い、前記減衰部は、前記透過部を除き、前記遮光塗料又は遮光フィルムで覆われていない前記透過性部材の背面及び（又は）側面に設けられ、他の部位よりも表面粗さが粗い粗面部又は複数の微小な凹凸を有する凹凸面部である。
【００１１】
第５の特徴；車体側に揺動自在に枢支され、シフトポジションを選択可能とするシフトレバーと、前記シフトレバーの中間部が貫通する操作溝が形成され、シフト情報を表示する表示領域を有するインジケータパネルと、前記インジケータパネルを車体側に支持する支持手段と、前記インジケータパネル及び前記支持手段に内包され、前記インジケータパネルの内側から該インジケータパネルに向けて光を照射する光源と、を備えたシフトレバー装置の製造方法において、透過性部材で構成される前記インジケータパネルの外表面で、前記光源からの光を前記表示領域に透過する透過部を除く部位に遮光塗料又は遮光フィルムを塗布又は貼り付ける工程と、前記透過部を除く前記遮光塗料又は遮光フィルムで覆われていない前記インジケータパネルの背面又は側面に、他の部位よりも表面粗さが粗い粗面部又は複数の微小な凹凸を有する凹凸面部を形成する工程と、を有する。
【発明の効果】
【００１２】
第１の特徴によれば、透過部以外に向かう光源の光を減衰させることができるので、例えば、インジケータパネルと支持手段との隙間等から外部へ光が漏れるのを抑制することができ、シフトレバー装置の発光が予定されていない箇所が発光してユーザに違和感を与えるということを防止できる。従って、シフトレバー装置の外観を向上させることができる。
【００１３】
第２の特徴によれば、減衰部は、通過、反射する光を乱反射・散乱させる粗面部又は凹凸面部であるので、例えば、インジケータパネルと支持手段との隙間に向かう光の量を減少させることができ、該隙間から光が漏れるのを抑制することができる。
【００１４】
第３の特徴によれば、減衰部は、オーバーラップ部又は嵌合部付近に設けられるので、光源からオーバーラップ部又は嵌合部付近に向かう光を減衰させることができ、シフトレバー装置から外部へ発光が予定されていない箇所から光が漏れるのを抑制することができる。
【００１５】
第４の特徴によれば、透過性部材の外表面に遮光塗料又は遮光フィルムが設けられ、その背面及び（背面）側面に減衰部を設けることでインジケータパネルを形成するので、部品点数を削減することができ、コストを抑えることができる。
【００１６】
第５の特徴によれば、透過部以外に向かう光源の光を減衰させることができるので、例えば、インジケータパネルと支持手段との隙間等から外部へ光が漏れるのを抑制することができ、シフトレバー装置の発光が予定されていない箇所が発光してユーザに違和感を与えるということを防止できる。従って、シフトレバー装置の外観を向上させることができる。
【図面の簡単な説明】
【００１７】
【図１】実施の形態のシフトレバー装置の外観図である。
【図２】図１のＩＩ−ＩＩ線矢視一部省略断面図である。
【図３】図２の要部拡大図である。
【図４】図１に示すインジケータパネルの背面斜視図である。
【発明を実施するための形態】
【００１８】
本発明に係るシフトレバー装置及びシフトレバー装置の製造方法について、好適な実施の形態を掲げ、添付の図面を参照しながら以下、詳細に説明する。
【００１９】
図１は、実施の形態のシフトレバー装置１０の外観図である。なお、以下、特に指示のない限り、図１において示す矢印方向を基準として、前後、左右、及び上下の方向を説明する。
【００２０】
シフトレバー装置１０は、前後方向にスライド可能であり、シフトポジションを選択可能とするシフトレバー１２と、シフトレバー１２の中間部が貫通する操作溝１４が形成され、Ｐ、Ｒ、Ｎ、Ｄ、Ｓ等のシフト情報を表示する複数の表示領域１６を有するインジケータパネル１８と、該インジケータパネル１８を四輪自動車等の車体側に支持する支持手段２０とを有する。
【００２１】
このシフトレバー１２は、支持手段２０によって揺動可能に枢支されて、操作溝１４に沿ってシフト操作されるようになっている。表示領域１６は、シフトレバー１２の各シフトポジションに対応する位置に配置されており、シフトレバー１２の各シフトポジションに対応するシフト情報を表示する。本実施の形態では、表示領域１６は、Ｐ、Ｒ、Ｎ、Ｄ、Ｓの形状を有する。
【００２２】
インジケータパネル１８の下側には、操作溝１４を覆う周知のスライドカバー２２が配設されている。このスライドカバー２２は、シフトレバー１２の操作に連動して、前後方向にスライドするようになっており、シフトレバー１２が何れのシフトポジションに操作された場合でも、操作溝１４を覆った状態に保ち、シフトレバー装置１０内への埃や塵等の侵入を防止する。
【００２３】
図２は、図１のＩＩ−ＩＩ線矢視一部省略断面図、図３は、図２の要部拡大図である。シフトレバー装置１０は、インジケータパネル１８と支持手段２０とによって内包され、インジケータパネル１８の内側からインジケータパネル１８に向かって光を照射する光源（例えば、ハロゲンランプ、ＬＥＤ等）３０を備える。この光源３０は、シフトレバー１２の左側、つまり、表示領域１６が形成された側に設けられている。このインジケータパネル１８及び支持手段２０の形状は、操作溝１４の中心に対して左右対称である。
【００２４】
インジケータパネル１８は、光を透過する透過性部材３４と、透過性部材３４の外表面に設けられた透過部３６と、透過部３６が設けられる領域以外の透過性部材３４の外表面及び側面に設けられた遮光部３８と、透過性部材３４の背面及び側面に設けられた減衰部４０とを有する。
【００２５】
透過部３６は、透過性部材３４を通過した光源３０からの光を表示領域１６に透過させ、遮光部３８は、原則として、透過性部材３４を通過した光源３０からの光であって、透過部３６以外の方向へ向かう光を遮光する。透過部３６は、Ｐ、Ｒ、Ｎ、Ｄ、Ｓの表示領域１６と同じ形状を有し、表示領域１６の位置に配置されている。
【００２６】
この透過部３６は、透過フィルムによって構成され、遮光部３８は、遮光フィルムによって構成される。この透過フィルム及び遮光フィルムは、１枚のフィルム４２によって形成され、インジケータパネル１８は、フィルムインサート成形によって形成されている。この遮光フィルムには、黒色等の所定の色が施され、透過フィルムには、シフトポジション（シフト情報）に応じた色（例えば、赤色、緑色、白色）が施されている。減衰部４０は、透過部３６以外の方へ向かう光源３０からの光の一部（外部に漏れる光）を減衰する。この減衰部４０が設けられる具体的な場所については後述する。
【００２７】
この減衰部４０は、透過性部材３４の他の部位よりも表面粗さが粗い粗面部又は複数の微小の凹凸を有する凹凸面部である。この粗面部は、粗面処理（例えば、透過性部材３４の背面及び側面を傷付けたり、砂等の微小粒子を透過性部材３４の背面及び側面に当てるブラスト加工処理）を施すことで形成される。また、複数の微小の凹凸部は、透過性部材３４の背面及び側面に複数の微小の凹凸ができるように、フィルムインサート成形に用いられるダイ（金型）に、凹凸面を設けることで形成される。従って、透過性部材３４の外表面にフィルム４２を設け、背面及び側面に減衰部４０を設けることでインジケータパネル１８を形成するので、部品点数を削減することができ、コストを抑えることができる。
【００２８】
支持手段２０は、基台５０と、基台５０からインジケータパネル１８側（上方）に突出して、インジケータパネル１８の外端部１８ａ側を支持する支持部５２と、基台５０からインジケータパネル１８側に突出して、支持部５２より内側で且つ操作溝１４より外側でインジケータパネル１８を支持する支持部５４とを有する。光源３０は、基台５０と、支持部５２、５４と、インジケータパネル１８で形成されるシフトレバー１２より左側の空間５６内に収納されている。光源３０は、支持部５２側の下方から、支持部５４の先端側に向かって光を照射するように基台５０に支持されているので、光源３０からの光がインジケータパネル１８の外端部１８ａ側から漏れることを抑制することができる。
【００２９】
また、支持手段２０は、支持部５４の中間部からシフトレバー１２側に突出したスライドカバー２２を支持するスライドカバー支持部５８を有する。スライドカバー支持部５８には、スライドカバー２２の両端をスライド可能に支持する凹部５８ａが設けられている。また、支持手段２０は、スライドカバー支持部５８の端部から上下方向に突出し、インジケータパネル１８の操作溝１４に対応した溝部６０ａを形成する溝壁６０と、スライドカバー支持部５８の中間からインジケータパネル１８側に突出し、支持部５４より内側で且つ操作溝１４より外側でインジケータパネル１８を支持する支持部６２とを有する。
【００３０】
上方に突出する溝壁６０の外側面とインジケータパネル１８の操作溝１４を形成する側面とは、重ね合わさった状態で当接している。この溝壁６０及びインジケータパネル１８の操作溝１４を形成する部材１８ｂは、本発明のオーバーラップ部として機能する。
【００３１】
透過部３６は、表示領域１６に設けられ、遮光部３８は、透過部３６を除く透過性部材３４の外表面と、少なくとも透過性部材３４の側面の一部を覆うように形成されている。インジケータパネル１８をフィルムインサート成形する際に、ダイの嵌め合い代によって、透過性部材３４の側面（インジケータパネル１８の側面）に、遮光部３８が設けられない領域Ｓが形成される（図３参照）。従って、透過性部材３４の部材１８ｂの領域Ｓに向かう光が、透過性部材３４の部材１８ｂと支持手段２０の溝壁６０との隙間から漏れる可能性があり、シフトレバー装置１０の外観性が損なわれてしまう。
【００３２】
そこで、光が外部に漏れてしまう虞のある箇所付近の透過性部材３４の背面及び側面に減衰部４０を設けている。減衰部４０は、少なくとも遮光部３８で覆われていない透過性部材３４の背面及び側面に設けられている必要がある。本実施の形態では、光源３０がシフトレバー１２の左側に設けられているので、減衰部４０は、シフトレバー１２より左側の操作溝１４付近の透過性部材３４の背面及び側面に設けられている。
【００３３】
減衰部４０は、表面粗さが粗い粗面部又は複数の微小の凹凸を有する凹凸部であるので、光が通過或いは光が反射する度に、光を乱反射・散乱するので、減衰部４０を通過或いは反射した光の強度は弱くなる。従って、図３に示す様に、インジケータパネル１８と支持手段２０との隙間（溝壁６０とインジケータパネル１８の操作溝１４を形成する部材１８ｂとの隙間）に向かう光の量を減少させることができ、該隙間から光が漏れるのを抑制することができる。従って、発光が予定されていない箇所が発光することでユーザに違和感を与えるということを防止することができ、シフトレバー装置１０の外観が向上する。なお、図３では、点線は光を表し、その点線の太さは光の光量を表している。
【００３４】
図４は、減衰部４０が設けられた領域を示すインジケータパネル１８の背面斜視図である。図４では、減衰部４０が設けられた領域を斜線で示している。図４に示す様に、本実施の形態では、シフトレバー１２より左側の支持手段２０の溝壁６０とインジケータパネル１８の操作溝１４を形成する部材１８ｂとの隙間から光源３０からの光が漏れるので、シフトレバー１２より左側のインジケータパネル１８の操作溝１４を形成する側面（部材１８ｂの側面）及び操作溝１４付近の背面に減衰部４０を設ける。
【００３５】
また、図４に示す様に、本実施の形態では、操作溝１４より左側の透過性部材３４の外端部１８ａ付近（図３参照）、及び、操作溝１４より後方側の外端部１８ａ付近からも光源３０の光が漏れる虞があるので、係る付近の背面及び側面にも減衰部４０を設けている。
【００３６】
なお、本実施の形態では、フィルムインサート成形によってフィルム４２が貼り付けられた透過性部材３４を成形したが、透過性部材３４を成形した後にフィルム４２を貼り付けてもよい。また、透過部３６及び遮光部３８を１枚のフィルム４２によって一体成形したが、透過部３６と遮光部３８とは、一体成形されていなくてもよい。また、透過部３６を前記透過フィルムによって構成したが、光を透過する透過塗料で構成し、透過性部材３４に透過塗料を塗布してもよい。また、遮光部３８を前記遮光フィルムによって構成したが、光を遮光する遮光塗料で構成し、透過性部材３４に遮光塗料を塗布してもよい。
【００３７】
本実施の形態では、透過性部材３４に前記透過フィルムや透過性の塗料等を貼り付け又は塗布することで透過部３６を構成したが、該透過フィルムや塗料を貼り付け又は塗布しないことで透過部３６を構成してもよい。つまり、透過部３６とは、光を透過すればよいので、部材や塗料等で構成しなくてもよい。また、インジケータパネル１８及び支持手段２０で、互いに重なり合う前記オーバーラップ部（インジケータパネル１８の操作溝１４を形成する部材１８ｂ及び支持手段２０の溝壁６０）を形成したが、前記オーバーラップ部に代えて、互いに嵌り合う嵌合部を設けてもよい。つまり、インジケータパネル１８の操作溝１４を形成する部材１８ｂと、支持手段２０の溝壁６０とが互いに嵌め合う形状であってもよい。
【００３８】
また、インジケータパネル１８の外周側面（外端部１８ａの外側面）と支持手段２０の支持部５２の内側面とが重ね合わさった状態で当接する構造とすることで、インジケータパネル１８の外端部１８ａ及び支持手段２０の支持部５２をオーバーラップ部として機能させてもよい。また、インジケータパネル１８の外端部１８ａと支持手段２０の支持部５２とが互いに嵌り合う構造とすることで、外端部１８ａ及び支持手段２０を嵌合部として機能させてもよい。
【００３９】
本実施の形態では、透過性部材３４の背面及び側面に減衰部４０を設けたが、背面及び側面の一方のみに減衰部４０を設けてもよい。また、インジケータパネル１８の操作溝１４を形成する側面が支持手段２０の溝壁６０に完全に覆われ、インジケータパネル１８の該側面が露出していないような場合等には、インジケータパネル１８の側面に遮光部３８を設けなくてもよい。
【００４０】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００４１】
１０…シフトレバー装置                １２…シフトレバー
１４…操作溝                          １６…表示領域
１８…インジケータパネル              ２０…支持手段
２２…スライドカバー                  ３０…光源
３４…透過性部材                      ３６…透過部
３８…遮光部                          ４０…減衰部
４２…フィルム                        ５０…基台
５２、５４、６２…支持部              ５６…空間
５８…スライドカバー支持部            ５８ａ…凹部
６０…溝壁                            ６０ａ…溝部
【図１】
2014100922.tif 000003
【図２】
2014100922.tif 000004
【図３】
2014100922.tif 000005
【図４】
2014100922.tif 000006